(57)【要約】【課題】  ロールペーパーを所要の長さ分だけ引き出して切ろうとする際には、引き出し分の基部がロールペーパー受け部の支持面とカッター部の押さえ部とで挟み付けて強固に押さえをきかせながら、ロールペーパーの引き出した部分を片手で容易かつ確実に切り取ることができるロールペーパーホルダーを提供する。【解決手段】  ロールペーパーホルダー１は、ロールペーパーを装填してその巻き端から順次所要の長さ分だけ引き出して切り取るためのものである。ロールペーパーホルダー１はロールペーパー２を落とし込むロールペーパー受け部３と、ロールペーパー受け部３の手前側に位置してロールペーパーの引き出し分を切り取るカッター部４とで構成する。ロールペーパー受け部３の底面は、その両端部に支持面５、５を形成してそれらの間を開口させた大口開口部６を成している。カッター部４は、手前側に鋸歯状刃７を有し、かつ基端側が前記支持面に対向して接離自在のペーパー押さえ部８を成している。【選択図】図１
2008029776.tif 000002
【特許請求の範囲】
【請求項１】
ロールペーパーを装填してその巻き端から順次所要の長さ分だけ引き出して切り取るロールペーパーホルダーであって、
ロールペーパーを落とし込むロールペーパー受け部と、
ロールペーパー受け部の手前側に位置してロールペーパーの引き出し分を切り取るカッター部とで構成され、
ロールペーパー受け部の底面は、その両端部に支持面を形成してそれらの間を開口させた大口開口部を成しており、
カッター部は、手前側に鋸歯状刃を有し、かつ基端側が前記支持面に対向して接離自在のペーパー押さえ部を成しており、
ロールペーパー受け部に装填したロールペーパーの巻き端を前記大口開口部から誘い出したうえ手前側に引き出す操作でロールペーパーを前記支持面とペーパー押さえ部間に平面状に挟みこませて所要の長さ分だけ引き出し、かつカッター部の鋸歯状刃を押し上げるようにして引き出し分の基部を前記支持面とペーパー押さえ部間で押さえるとともに鋸歯状刃に当たった部分から切断するように構成してある
ことを特徴とするロールペーパーホルダー。
【請求項２】
ロールペーパー受け部の底面に形成されている支持面は手前側に傾斜しており、その傾斜下端側にはロールペーパーの支えローラーを設けてあることを特徴とする請求項１記載のロールペーパーホルダー。
【請求項３】
カッター部は、その鋸歯状刃を覆う安全カバーを備えており、ロールペーパーの引き出し分の切断時にのみ鋸歯状刃が露出するように構成されていることを特徴とする請求項１または２記載のロールペーパーホルダー。
【発明の詳細な説明】
【技術分野】
【０００１】  本発明は、トイレットペーパーなどのロールペーパーを装填してその巻き端から順次所要の長さ分だけ引き出して切り取るロールペーパーホルダーに関するものである。
【背景技術】
【０００２】  ホルダー本体に装填したロールペーパーの巻き端をホルダー本体の奥側下面から少しだけ常に垂れ下げておき、使用時にはその垂れ下げ部分を摘んで手前側に所要長さ分だけ引き出し、ホルダー本体の手前側下部に位置するカッター部に引っ掛けて引き上げる片手操作で切り取ることができるようにしたトイレットペーパーホルダーは、特開平８−２８０５７７号公報において紹介されている。【０００３】  また、ホルダー本体の下部に逆Ｖ字形やアーチ形の鋸歯状刃を備え、ロールペーパーの巻き端を片手操作で所要長さ分だけ引き出して鋸歯状刃により切り取ることができるようにしたロールペーパーホルダーは、特開２００５−２６１８７０公報に記載されており、ロールペーパーの巻き端を引き出して、その引き出し分の切断時に引き出し基部を押さえて切り取ることができるようにしたトイレットペーパーホルダーは、特開２００３−６１８６３公報および特開２００３−４７３公報にそれぞれ記載されている。
【特許文献１】  特開平８−２８０５７７号公報
【特許文献２】  特開２００５−２６１８７０公報
【特許文献３】  特開２００３−６１８６３公報
【特許文献４】  特開２００３−４７３公報
【発明の開示】
【発明が解決しようとする課題】
【０００４】  前掲の特開平８−２８０５７７号公報に紹介されているトイレットペーパーホルダーによれば、ホルダー本体の奥側にロールペーパーの巻き端が常に垂れ下がるので、使用にあたってロールペーパーの巻き端の摘みと引き出しが片手で容易にでき、手の一方が不自由であっても使い勝手のよいものである。【０００５】  しかしながら、ホルダー本体の奥側で下方に垂れ下がっているロールペーパーの巻き端を手前方向に引き出してホルダー本体の手前側下部に位置するカッター部で切ろうとした際に、引き出した部分の基部の押さえが緩いのでロールペーパーが次々と解れてきて、片手の操作では甚だ切りにくいものであるのが実情である。【０００６】  そこで本発明は、こような不都合を解消しようとするものであって、ロールペーパー受け部に装填したロールペーパーの巻き端を前記大口開口部から誘い出したうえ手前側に引き出す操作で前記支持面とペーパー押さえ部間に平面状に挟みこませて所要の長さ分だけ引き出し、かつカッター部の鋸歯状刃を押し上げるようにして引き出した分の基部を前記支持面とペーパー押さえ部間で押さえるとともに鋸歯状刃に当たった部分から切断するように構成したことにより、ロールペーパーを所要の長さ分だけ引き出して切ろうとする際には、引き出した部分の基部がロールペーパー受け部の支持面とカッター部の押さえ部とで挟み付けて強固に押さえをきかせながら、ロールペーパーの引き出し分を片手で容易かつ確実に切り取ることができるロールペーパーホルダーを提供することを目的とするものである。
【課題を解決するための手段】
【０００７】  上記目的を達成するため、本発明は請求項１ないし３に係るロールペーパーホルダーを提供する。すなわち、請求項１に係るロールペーパーホルダーは、ロールペーパーを装填してその巻き端から順次所要の長さ分だけ引き出して切り取るロールペーパーホルダーであって、ロールペーパーを落とし込むロールペーパー受け部と、ロールペーパー受け部の手前側に位置してロールペーパーの引き出し分を切り取るカッター部とで構成され、ロールペーパー受け部の底面は、その両端部に支持面を形成してそれらの間を開口させた大口開口部を成しており、カッター部は、手前側に鋸歯状刃を有し、かつ基端側が前記支持面に対向して接離自在のペーパー押さえ部を成していて、ロールペーパー受け部に装填したロールペーパーの巻き端を前記大口開口部から誘い出したうえ手前側に引き出す操作でロールペーパーを前記支持面とペーパー押さえ部間に平面状に挟みこませて所要の長さ分だけ引き出し、かつカッター部の鋸歯状刃を押し上げるようにして引き出した分の基部を前記支持面とペーパー押さえ部間で押さえるとともに鋸歯状刃に当たった部分から切断するように構成してあることを特徴とするものである。【０００８】  また、請求項２に係るロールペーパーホルダーは、請求項１記載の構成において、ロールペーパー受け部の底面に形成されている支持面は手前側に傾斜しており、その傾斜下端側にはロールペーパーの支えローラーを設けてあることを特徴とするものである。【０００９】  さらに、請求項３に係るロールペーパーホルダーは、請求項１または２記載の構成において、カッター部は、その鋸歯状刃を覆う安全カバーを備えており、引き出したロールペーパーの切断時にのみ鋸歯状刃が露出するように構成されていることを特徴とするものである。
【発明の効果】
【００１０】  本発明に係るロールペーパーホルダーによれば、ロールペーパー受け部に装填したロールペーパーの巻き端を前記大口開口部から誘い出したうえ手前側に引き出す操作でロールペーパーを前記支持面とペーパー押さえ部間に平面状に挟みこませて所要の長さ分だけ引き出し、かつカッター部の鋸歯状刃を押し上げるようにして引き出し分の基部を前記支持面とペーパー押さえ部間で押さえるとともに鋸歯状刃に当たった部分から切断するように構成したことにより、ロールペーパーを所要の長さ分だけ引き出して切ろうとする際には、引き出し分の基部がロールペーパー受け部の支持面とカッター部の押さえ部とで挟み付けて強固に押さえをきかせながら、ロールペーパーの引き出した部分を片手で容易かつ確実に切り取ることができる効果が得られる。
【発明を実施するための最良の形態】
【００１１】  図１は本発明の一実施の形態に係るロールペーパーホルダーの一部を破断して示す斜視図、図２は同上断面図、図３は同上一部の斜視図、図４は同上全体の斜視図、図５（Ａ）、（Ｂ）および（Ｃ）はロールペーパーの装填と巻き端からの引き出し態様を示す説明図である。【００１２】  図１ないし図４において、１はロールペーパーホルダーである。このロールペーパーホルダー１は、ロールペーパー２を落とし込むロールペーパー受け部３と、ロールペーパー受け部３の手前側に位置してロールペーパー２の引き出し分を切り取るカッター部４とで構成されている。ロールペーパー受け部３の底面は、その両端部に支持面５、５を形成してそれらの間を開口させて大口開口部６を成している。カッター部４は、手前側に鋸歯状刃７を有し、かつ基端側が前記支持面に対向して接離自在のペーパー押さえ部８を成しており、９はその支点である。１０は前面受け板、１１は開閉蓋である。ロールペーパー受け部３の投入口を開閉蓋１１により開閉自在である。【００１３】  ロールペーパー受け部３の底面に形成されている支持面５、５は手前側に傾斜しており、その傾斜下端側にはロールペーパー２の支えローラー１２を設けてある。この支えローラー１２は回転自在であってロールペーパー２の使用による巻径の縮小変化にかかわらず、ロールペーパー２の滑らかに回転するように支持するためのものである。【００１４】  カッター部４は、その鋸歯状刃７を覆う安全カバー１３を備えており、この安全カバー１３は、その基部がカッター部４に取り付けられた板バネ状のものであって、ロールペーパー２の引き出し分の切断時にのみ鋸歯状刃７が露出するように構成されている。鋸歯状刃７は前面側から見てＶ字状ないしは凹円弧状を成しており、図３に示すようにロールペーパー２の引き出し分を切る過程でその片側から安全カバー１３を押し上げて切り易いようにするための刃形のものである。【００１５】  本発明に係るロールペーパーホルダー１にロールペーパー２を装填し、かつ使用待機状態とするには、図５（Ａ）に示すように、開閉蓋１１を上方に開き、ロールペーパー受け部３にロールペーパー２を落とし込み状に装填する。そして、ロールペーパー受け部３の底面外側から大口開口部６に指先を挿入し、ロールペーパー２を回しながら巻き端を大口開口部６より少し垂れ下がらせる。【００１６】  次いで、図５（Ｂ）、（Ｃ）に示すように、大口開口部６から垂れ下がっている巻き端を指でさらに引き出したうえ、図５（Ｄ）に示すように、巻き端を手前方向に引き出しながらカッター部４に当たる姿勢まで上方に誘導すれば、図５（Ａ）、（Ｂ）に示す状態では、大口開口部６から垂れ下がっているロールペーパー２の引き出し分が、大口開口部６がロールペーパー２が支える両側の支持面５、５によりロールペーパー２の幅より狭くなっているため撓んでいても、ロールペーパー２の引き出した分の基部は支持面５、５とペーパー押さえ部８間に平面状となって通るので、所要の長さ分まで引き出したうえ、図１に示すように、カッター部４にロールペーパー２の引き出し分を強く当てるように片側から他方に引き当てる操作をすることにより、ロールペーパー２の所要の長さに引き出した分を片手のみで容易かつ確実に切り取ることができることになる。
【図面の簡単な説明】
【００１７】
【図１】  本発明の一実施の形態に係るロールペーパーホルダーの一部を破断して示す斜視図である。
【図２】  同上断面図である。
【図３】  同上一部の斜視図である。
【図４】  同上全体の斜視図である。
【図５】  （Ａ）、（Ｂ）および（Ｃ）はロールペーパーの装填と巻き端からの引き出し態様を示す説明図である。
【符号の説明】
【００１８】１  ロールペーパーホルダー
２  ロールペーパー
３  ロールペーパー受け部
４  カッター部
５、５  支持面
６  大口開口部
７  鋸歯状刃
８  ペーパー押さえ部
９  支点
１０  前面受け板
１１  開閉蓋
１２  支えローラー
１３  安全カバー
【図１】
2008029776.tif 000003
【図２】
2008029776.tif 000004
【図３】
2008029776.tif 000005
【図４】
2008029776.tif 000006
【図５】
2008029776.tif 000007